(57)【特許請求の範囲】
【請求項１】
表示器の直下に配置される光源と、
前記光源の光を表示器に照射する矩形状の開口部を有し前記光源を収納するケースと、を有し、
前記開口部の周辺部分に、矩形状の前記表示器の各辺に対応する４つのシャーシが設けられ、
前記４つのシャーシのうちの一つの前記シャーシに、弾性体を有するガイド部がスライド可能に設けられており、
前記表示器は、第１の辺の側端面を前記ガイド部により押圧されることにより、前記第１の辺と対向する第２の辺の側端面を前記ケースにおける前記開口部の内側の面に押し当てられて固定され、かつ、前記第１の辺と隣り合う第３の辺及び第４の辺が前記シャーシと当接されて位置決めされていることを特徴とする表示器用照明装置。
【発明の詳細な説明】
【技術分野】
【０００１】
本発明はいわゆるバックライトと呼ばれる表示器用照明装置に関し、特に比較的大型の液晶表示器の直下型照明などに好適なものである。
【背景技術】
【０００２】
従来より表示器用照明装置は、冷陰極管等の光源を１乃至複数本並べてケースに収納し、開口部に光拡散手段を配置しており、例えば特開２００２−２３６４８号公報に示されるように、脱落や破壊防止およびコスト削減を計るため、金属製のフレームを配置して構成していた。
【特許文献１】特開２００２−２３６４８号公報
【発明の開示】
【発明が解決しようとする課題】
【０００３】
然し乍ら、表示器が大型、大面積になるに従って、照明装置も大型化する。大型化した照明装置は、表示器に光を照射するための大きな開口部を有しているので、自重や支え方によって、ケースのたわみやねじれを生じ易い。このため表示器（パネル）を均一に照明できなかったり、撓んだままで外圧がかかって損傷したり、生じた隙間からゴミが入って表示品位を下げることとなった。また従来、照明装置にあっても、部品点数を減少させることによってコスト低減が図られていたが、表示器が大きくなると照明装置の個々の部品も大きくなり、そのような大きな部品は寸法精度高く部品を製造することが困難になって、部品の歩留まりが悪くなったり、組立てにくくなったり、あるいは、かえってコストが高くなることが判った。更に照明装置と表示器の寸法誤差が顕著になって表示器を支えきれない場合も生じてきた。
【課題を解決するための手段】
【０００４】
本発明の表示器用照明装置は、表示器の直下に配置される光源と、前記光源の光を表示器に照射する矩形状の開口部を有し前記光源を収納するケースと、を有し、前記開口部の周辺部分に、矩形状の前記表示器の各辺に対応する４つのシャーシが設けられ、前記４つのシャーシのうちの一つの前記シャーシに、弾性体を有するガイド部がスライド可能に設けられており、前記表示器は、第１の辺の側端面を前記ガイド部により押圧されることにより、前記第１の辺と対向する第２の辺の側端面を前記ケースにおける前記開口部の内側の面に押し当てられて固定され、かつ、前記第１の辺と隣り合う第３の辺及び第４の辺が前記シャーシと当接されて位置決めされていることを特徴とする。
【発明の効果】
【０００７】
本発明にあってはケースの開口部の周辺部分に表示器のガイド部をスライド可能に設けるので、表示装置のガラス基板の大きさなどにばらつき等が出てもこれを堅牢に支持できる。
【発明を実施するための最良の形態】
【０００８】
図１は本発明の照明装置の上下断面図、図２は左断面図、図３は右側面図、図4は背面からの分解斜視図で、図５は図４の部品透視図、図６は表示器のガイド部の要部拡大図で、図７は図６のＡ−Ａ、Ｂ−Ｂ断面図で、いずれも本発明がもっとも好適な液晶大型表示装置の直下型バックライトを例にとってある。
【０００９】
これらの図において、１は、多数整列された光源（ランプ）の光を表示器（液晶パネル）Ｌに照射する開口部を有し、その光源２を支持するケースで、上下面フレーム状のものを所定間隔で結合させた形状のものでも、底の無い舟形でもよい。またその開口部は液晶パネルに対しては略四角形をなすのが好ましい。このようなケース１は樹脂成形品からなるが、金属成形品で構成しても良い。ケース１の開口部には拡散手段３として、レンズシートが３枚と光拡散シート１枚が積層されている。拡散手段はこのほか、乳白色シートや光拡散材混練シートなどが利用でき、いずれも観察面から光源２の位置が、強い光のある場所として、確認できない程度に光を拡散できれば良い。この実施例ではケース１の背面は開放されているが、裏蓋（底面）と一体成形されていてもよい。またケース１の光源を保持する桟または枠体と拡散手段３の保持部を別部品で構成するなど、ケース１を複数部品としてもよい。
【００１０】
ケース１の開口部には、拡散手段３の内側に、表示器Ｌに対向するように、透光性で厚みのある補強板５が設けられている。この補強板５は、低反射グレードの透明アクリル樹脂板等からなり、開口部にはめこまれる大きさと形状をなしている。このような補強板５は、表示器Ｌと対向して配置されるので表示器Ｌの外的負荷からの保護、及び、振動や衝撃による画面ちらつきを押さえることが出来る。
【００１１】
そして４１、４２、４３、４４は、ケース１の対向する側面に設けられたシャーシで、金属成形品からなり、上下のシャーシ４２、４４は補強板５の固定手段として折り返し段部を有し、補強板５にがたつきがないようにケース１に押圧している。固定手段は根元に弾性を持った舌片が好ましいが、補強板５を挟持する形の物でも良い。また固定手段を左右のシャーシ４１、４３に設けても良い。このような構成にすることで、補強板とシャーシは照明装置を堅牢にし、液晶表示装置の歪みやたわみの発生を軽減することが出来る。また４５、４６は後ろ側のシャーシで、６は裏蓋である。裏蓋６の内面やケース１の側面と裏蓋６との間に反射膜６１、６２を設けると更に好ましい。このように、シャーシを複数、より好ましくは桟毎に分けて構成することで、各々の部品の寸法精度を高め、また組立工数を考慮してもコストが低く出来る。
【００１２】
また７は、ケース１の開口部の周辺部分に設けられた表示器Ｌのガイド部で、ビスで止めるための透孔を略楕円状にするとか、止めるビスを偏平にするなどしてスライド可能に設けられており、表示器Ｌの寸法ばらつきがあっても大きなクリアランスを持って確実に固定できる。なおこのようなガイド部７として、例えば上部ガイド部を弾性体で構成して、表示器Ｌを押圧固定するようにしてもよい。
【図面の簡単な説明】
【００１３】
【図１】本発明実施例の照明装置の上下断面図である。
【図２】本発明実施例の照明装置の左断面図である。
【図３】本発明実施例の照明装置の右側面図である。
【図４】本発明実施例の照明装置の背面からの分解斜視図である。
【図５】図４の部品透視図である。
【図６】本発明実施例の照明装置における表示器のガイド部の要部拡大図である。
【図７】図６のＡ−Ａ、Ｂ−Ｂ断面図である。
【符号の説明】
【００１４】
１ ケース
２ 光源
３ 拡散手段
４１、４２、４３、４４、４５、４６ シャーシ
５ 補強板
６ 裏蓋
７ ガイド部
【図１】
0004659813.tif 000002
【図２】
0004659813.tif 000003
【図３】
0004659813.tif 000004
【図４】
0004659813.tif 000005
【図５】
0004659813.tif 000006
【図６】
0004659813.tif 000007
【図７】
0004659813.tif 000008